(57)【特許請求の範囲】
【請求項１】
排水桝の横向きの排水流入口に連通される横向きの一端側接続口部を有し、この一端側接続口部に連通されて上方に立ち上げられた管部の内周側に第１シールリングが保持され、その管部の外周側に雄ねじ部が設けられていると共に、その雄ねじ部に連設されて周方向の１箇所又は複数箇所に分割溝が形成された縮径可能な筒部を有する曲り接続管と、
排水管の横向きの終端部に接続される横向きの一端側接続口部及び内周側に第２シールリングが保持された下向きの他端側接続口部とを有する曲り継手と、
この曲り継手の上記他端側接続口部に嵌合されて上記第２シールリングに外周面が摺動自在に密着される上向きの一端側接続口部を有しかつ上記曲り接続管の上記筒部と上記管部とに摺動自在に挿入されて外周面が上記第１シールリングに密着される高さ調節管と、
この高さ調節管に外嵌合可能で上記曲り接続管の上記雄ねじ部にねじ込まれる雌ねじ部とその雌ねじ部を上記雄ねじ部にねじ込んだときに上記筒部を締め付けて縮径させることによりその筒部で上記高さ調節管を保持させる押圧部とを有する締付けナットと、
を備えることを特徴とする排水管と排水桝との接続装置。
【請求項２】
上記曲り継手と上記高さ調節管とが合成樹脂製であり、上記曲り継手の上記他端側接続口部の内周と上記高さ調節管の上向きの一端側接続口部の外周との一方側にリング状の凸条が設けられ、他方側にその凸条に嵌着される凹条が設けられている請求項１に記載した排水管と排水桝との接続装置。
【発明の詳細な説明】
【０００１】
【発明の属する技術分野】
本発明は、排水管と排水桝との接続装置に関する。
【０００２】
【従来の技術】
住宅の浴場や洗面所といった水回り箇所から出る排水を宅地内排水管路に流出させる場合、図４のように、水回り箇所から出てくる排水管１に、エルボ２、短管３、エルボ４、短管５をこの順に接続し、その終端の短管５に排水桝６の排水流入口７を接続するようにしている。このような配管を行っておけば、水回り箇所から出た排水がエルボ２，４や短管３，５などで形成される管路を通って排水桝６に流入し、その排水桝６に接続されている宅地内排水管８を通って排水される。図４において、矢印ａ，ｂは宅地内排水管７の排水の流れ方向、矢印ｃは水回り箇所からの排水の流れ方向をそれぞれ示している。
【０００３】
図４で説明した排水管１と排水桝８の排水流入口７との間の配管系Ｐにおいて、排水管１、エルボ２、短管３、エルボ４、短管５、排水桝６の排水流入口７の相互の接続箇所では接着剤を用いた接合が行われており、上記した手順で排水管１、エルボ２、短管３、エルボ４、短管５、排水桝６の排水流入口７を順に接続していくことは容易に可能である。
【０００４】
【発明が解決しようとする課題】
ところで、図４で説明した配管系Ｐの高さ方向Ｈでの長さ調節は短管３の長さを正確に定めて行う必要がある。また、短管３にエルボ４を接続するときにそのエルボ４の向きを排水桝６の排水流入口７に対して正確に合わせておく必要がある。
【０００５】
しかしながら、短管３に、エルボ４や短管５や排水流入口７を接続する前にその短管３の長さを正確に定めて配管系Ｐの高さ方向Ｈでの長さ調節を行うことには多大な困難を伴い、高度の熟練を必要とする。また、上記配管系Ｐでは接着剤を用いた接合が行われているため、短管３にエルボ４を差し込んで接着剤が硬化しない間にエルボ４の向きを排水桝６の排水流入口７に対して正確に合わせるという作業についても多大な困難を伴い、高度の熟練を必要とする。以上は、排水桝６を新設する場合について生じる問題点である。
【０００６】
その一方、住宅をリフォームしたような場合において、排水桝６として既設の排水桝を設置場所を変更することなく活用し、新設した排水管１をその既設排水桝の排水流入口に接続しなければならないような事態が発生する。図４に示した配管系Ｐでは、エルボ２と短管３、短管３とエルボ４、エルボ４と短管５、短管５と排水流入口７との接続箇所で一方側の受口に他方側の挿口を差し込んで接着剤で接合するという施行法が採られているので、排水管１、エルボ２、短管３、エルボ４の４つの配管要素をこの順に接続していくことはできても、最後の短管５をエルボ４と排水流入口７とに接続することができないという問題点が生じる。
【０００７】
本発明は以上の問題点に鑑みてなされたものであり、排水桝を新設する場合に採用できることは勿論、既設の排水桝をその設置場所を変更することなく活用してその既設排水桝の排水流入口に排水管を接続するための配管系を施工する場合にも採用することのできる排水管と排水桝との接続装置を提供することを目的とする。
【０００８】
【課題を解決するための手段】
本発明に係る排水管と排水桝との接続装置は、排水桝の横向きの排水流入口に連通される横向きの一端側接続口部を有し、この排水桝側接続口部に連通されて上方に立ち上げられた管部の内周側に第１シールリングが保持され、その管部の外周側に雄ねじ部が設けられていると共に、その雄ねじ部に連設されて周方向の１箇所又は複数箇所に分割溝が形成された縮径可能な筒部を有する曲り接続管と、排水管の横向きの終端部に接続される横向きの一端側接続口部及び内周側に第２シールリングが保持された下向きの他端側接続口部とを有する曲り継手と、この曲り継手の上記他端側接続口部に嵌合されて上記第２シールリングに外周面が摺動自在に密着される上向きの一端側接続口部を有しかつ上記曲り接続管の上記筒部と上記管部とに摺動自在に挿入されて外周面が上記第１シールリングに密着される高さ調節管と、この高さ調節管に外嵌合可能で上記曲り接続管の上記雄ねじ部にねじ込まれる雌ねじ部とその雌ねじ部を上記雄ねじ部にねじ込んだときに上記筒部を締め付けて縮径させることによりその筒部で上記高さ調節管を保持させる押圧部とを有する締付けナットと、を備える、というものである。ここで、第２シールリングと高さ調節管の一端側接続口部の外周面との密着状態が「摺動自在」である、とは、第２シールリングが高さ調節管の一端側接続口部の外周面に密着したままその高さ調節管の一端側接続口部が第２シールリングに対して軸方向及び周方向に摺動自在である、という意味であり、また、「曲り接続管の筒部と管部とに高さ調節管が摺動自在に挿入される」とは、曲り接続管の筒部と管部とに高さ調節管じ軸方向及び周方向に摺動自在に挿入される、という意味である。
【０００９】
この発明において、設置場所が確定している排水桝（新設の排水桝及び既設の排水桝の両方を含む）の横向きの排水流入口と排水管の横向きの終端部とを接続するときには、たとえば次の手順を好適に採用することができる。すなわち、第１段階で、排水桝の排水流入口に曲り接続管の横向きの一端側接続口部を接続することと、その曲り接続管の筒部と管部とに高さ調節管を挿入しておくことと、排水管の終端部に曲り継手の横向きの一端側接続口部を接続することとを行い、高さ調節管の上向きの一端側接続口部を曲り継手の下向きの他端側接続口部に対向させておく。第２段階で、高さ調節管を上記管部から引き出しながらその上向きの一端側接続口部を曲り継手の下向きの他端側接続口部に嵌合させてそれらを接続する。このようにすると、排水桝の横向きの排水流入口と排水管の横向きの終端部とが、曲り接続管と高さ調節管と曲り継手とによって接続される。
【００１０】
ここで、上記した第１段階では、高さ調節管が曲り接続管の筒部と管部とに最終的な高さ位置よりも低くなる位置まで挿入されており、上記した第２段階で、高さ調節管が上記管部から引き出されてその一端側接続口部が曲り継手の他端側接続口部に嵌合して接続される。これは所謂「やりとり作用」であり、この「やりとり作用」によって、本発明の接続装置によって形成される排水流入口と排水管の終端部との間の配管系の高さ方向での長さ調節が行われる。
【００１１】
上記のようにして接続された曲り接続管の管部と高さ調節管との嵌合箇所の水密性は第１シールリングによって保たれ、曲り継手の下向きの他端側接続口部と高さ調節管の上向きの一端側接続口部との嵌合箇所の水密性は第２シールリングによって保たれる。
【００１２】
この発明の接続装置においては、高さ調節管の一端側接続口部に接続される曲り継手の一端側接続口部の向きは、高さ調節管の軸線回りで自由に定めることができる。そのため、排水管の終端部の向きと排水桝の排水流入口の向きとが異なっていても、そのような向きの相違は容易に吸収させることができる。
【００１３】
さらに、この発明の接続装置によると、高さ調節管にあらかじめ外嵌合しておいた締付けナットの雌ねじ部を曲り接続管の雄ねじ部にねじ込んで締め付けると、その締付けナットの押圧部により曲り接続管の筒部が締め付けられて縮径し、その筒部が高さ調節管を保持するようになる。そのため、上記した「やりとり作用」によって高さ調節管と曲り継手とを接続してから締付けナットを締め付けて高さ調節管をその高さ位置に固定することが可能である。
【００１４】
本発明に係る接続装置は、上記曲り継手と上記高さ調節管とが合成樹脂製であり、上記曲り継手の上記他端側接続口部の内周と上記高さ調節管の上向きの一端側接続口部の外周との一方側にリング状の凸条が設けられ、他方側にその凸条に回転自在に嵌着される凹条が設けられていることが望ましい。
【００１５】
このように構成しておくと、上記した第２段階で高さ調節管の一端側接続口部を曲り継手の他端側接続口部に嵌合すると、上記凸条と凹条とか嵌着して高さ調節管が曲り継手に上下に動かないように連結される。そのため、締付けナットを締め付けて高さ調節管をその高さ位置に固定する作業を容易に行うことができるようになるだけでなく、上記配管系の高さ方向での適切な長さが自然に正確に定まるようになる。
【００１６】
【発明の実施の形態】
図１は本発明に係る排水管と排水桝の接続装置の使用状態を示した要部破断正面図、図２は曲り接続管３の要部の正面図、図３は図２のＩＩＩ矢視図である。
【００１７】
図１において、排水桝１０は、ポリ塩化ビニル樹脂などの合成樹脂で成形されており、筒状の胴部１１の内底に形成されている排水流路（不図示）につながる横向きの排水流入口１２が上記胴部１１の側方に突き出ている。図示していないが、上記排水流路につながる排水流出口も上記胴部１１の側方に突き出ている。また、排水桝１０からは合成樹脂製の管部材１３が立ち上げられてその上端が地表面で開口され、その開口に蓋（不図示）が取外し自在に装着される。この管部材１３の上端開口は掃除口として役立つ。
【００１８】
２０は曲り接続管であり、この実施形態では、この曲り接続管２０が、直管２１とこの直管２１の下端部に接続された直角エルボ２２とによって形成されている。直管２１と直角エルボ２２との接続箇所２３は接着剤で接合されている。また、直管２１と直角エルボ２２とはいずれもポリ塩化ビニル樹脂などの合成樹脂で成形されている。この曲り接続管２０は横向きの一端側接続口部２４を有する。そして、まっすぐな短管２５を介して排水桝１０の排水流入口１２と上記一端側接続口部２４とが接続されて連通している。短管２５と上記排水流入口１２との嵌合箇所２５ａや短管２５と上記一端側接続口部２４との嵌合箇所２５ｂは接着剤で接合されている。また、曲り接続管２０において、上記直管２１によって形成される管部２６は、上記一端側接続口部２４に直角に曲がった曲り部２７を介して連通されて上方に立ち上がっており、その管部２６の内周側に管状に形成されている溝部２８にＯリングでなるゴム製の第１シールリング２９が収容保持されている。また、管部２６の外周側には雄ねじ部３１が設けられており、その雄ねじ部３１には、上記直管２１の上端部によって形成された筒部３２が連設されている。図２及び図３のように、筒部３２は周方向の４箇所に分割溝３３を有し、これらの分割溝３３により分断された４つの片部３４…が、合成樹脂に特有の弾力性に抗して内方に倒れ込むことによって上記筒部３２が縮径し得るようになっている。図例の筒部３２は４つの分割溝３３を有しているけれども、この分割溝３３の数は１つでも、２つ以上の複数であってもよい。
【００１９】
曲り接続管２０の筒部３２と管部２６とには、所定長さのまっすぐな高さ調節管４０が上下方向摺動自在に挿入されており、この高さ調節管４０の外周面に上記第１シールリング２９が密着している。したがって、曲り接続管２０と高さ調節管４０との嵌合箇所の水密性がこの第１シールリング２９によって保たれている。高さ調節管４０はポリ塩化ビニル樹脂などの合成樹脂で成形されている。
【００２０】
高さ調節管４０には締付けナット５０が外嵌合されている。この締付けナット５０は、雌ねじ部５１とこの雌ねじ部５１の奥部の上窄まりテーパ面によって形成された押圧部５２とを備えており、その雌ねじ部５１を上記管部２６の雄ねじ部３１にねじ込んで締め付けると、押圧部５２が上記管部２６の筒部３２を内方に押して縮径させる。したがって、締付けナット５０の締め付けによって縮径された上記筒部３２が高さ調節管４０を上下に動かないようにその高さ位置で保持する。
【００２１】
高さ調節管４０の上端部に上向きの一端側接続口部４１が形成されており、この一端側接続口部４１にエルボ型の曲り継手６０の下向きの他端側接続口部６２が外嵌合されて接続されている。この接続箇所６３では、曲り継手６０側の他端側接続口部６２の環状の溝部６４に収容保持されたＯリングなどのゴム製の第２シールリング６５が、高さ調節管４０側の一端側接続口部４１の外周面に密着してその嵌合箇所６３の水密性を保っていると共に、高さ調節管４０の一端側接続口部４１に設けられた環状の凸条４２が曲り継手６０の他端側接続口部６２の内周に設けられた環状の凹条６６に嵌着して高さ調節管４０と曲り継手６０との離脱を防いでいると共に、高さ調節管４０に対する曲り継手６０の回転を許容している。曲り継手６０の横向きの一端側接続口部６１には、横向きに敷設された排水管７０の終端部７１が接続されている。曲り継手６０の一端側接続口部６１と排水管７０の終端部７１との嵌合箇所は接着剤によって接合されている。曲り継手６０はポリ塩化ビニル樹脂などの合成樹脂で成形されている。
【００２２】
次に、排水桝１０の排水流入口１２と排水管７０の終端部６１とを接続する手順の一例を説明する。この説明において、排水桝１０は新設されるものであっても、既設のものであってもよい。
【００２３】
最初の第１段階では、排水桝１０の排水流入口１２に曲り接続管２０の横向きの一端側接続口部２４を短管２５を用いて接続することと、その曲り接続管２０の筒部３２と管部２６とに高さ調節管４０を挿入させておくことと、排水管７０の横向きの終端部７１に曲り継手６０の横向きの一端側接続口部６１を接続することとを行い、高さ調節管４０の上向きの一端側接続口部４１を曲り継手６０の下向きの他端側接続口部６２に同心位置で対向させておく。次の第２段階で、高さ調節管４０を管部２６から引き出しながらその上向きの一端側接続口部４１を曲り継手６０の下向きの他端側接続口部６２に嵌合させてそれらを接続する。このようにすると、排水桝１０の横向きの排水流入口１２と排水管７０の横向きの終端部６１とが、曲り接続管２０と高さ調節管４０と曲り継手６０とによって接続される。第３段階では、高さ調節管４０にあらかじめ外嵌合しておいた締付けナット５０の雌ねじ部５１を曲り接続管２０の雄ねじ部３１にねじ込んで締め付ける。このようにすると、締付けナット５０の押圧部５２により曲り接続管２０の筒部３２が締め付けられて縮径し、その筒部３２が高さ調節管４０を保持するようになる。これにより、高さ調節管４０が曲り継手２０に固定される。
【００２４】
ここで、上記した第１段階では、高さ調節管４０が曲り接続管２０の筒部３２と管部２６とに最終的な高さ位置（図１の位置）よりも低くなる位置まで挿入されており、上記した第２段階で、高さ調節管４０が上記管部２６から引き出されてその一端側接続口部４１が曲り継手６０の他端側接続口部６２に嵌合して接続される。このような「やりとり」を行うことによって、排水流入口１２と排水管７０の終端部７１との間の配管系Ｐの高さ方向での長さ調節が行われる。
【００２５】
上記のようにして接続された曲り接続管２０の管部２６と高さ調節管４０との嵌合箇所の水密性は第１シールリング２９によって保たれ、曲り継手６０の下向きの他端側接続口部６２と高さ調節管４０の上向きの一端側接続口部４１との嵌合箇所の水密性は第２シールリング６５によって保たれる。
【００２６】
この実施形態において、高さ調節管４０の一端側接続口部４１に接続される曲り継手６０の一端側接続口部６２の向きは、高さ調節管４０の軸線回りで自由に定めることが可能である。そのため、排水管７０の終端部７１の向きと排水桝１０の排水流入口１２の向きとが異なっていても、そのような向きの相違は容易に吸収させ得る。
【００２７】
上記した第２段階で高さ調節管４０の一端側接続口部４１を曲り継手６０の他端側接続口部６２に嵌合すると、その時点で上記凸条４２と上記凹条６６とか嵌着して高さ調節管４０が曲り継手６０に上下に動かないように連結される。そのため、締付けナット５０を締め付けて高さ調節管４０をその高さ位置に固定する作業を容易に行うことができるようになるだけでなく、上記配管系Ｐの高さ方向での適切な長さが自然に正確に定まる。
【００２８】
この実施形態では、曲り接続管２０の一端側接続口部２４を短管２５を介して排水桝１０の排水流入口１２に連通させているけれども、この点は、短管２５を省略し、曲り接続管２０の一端側接続口部２４を挿口に形成して排水桝１０の排水流入口１２に直接に接続してもよい。また、曲り接続管３０の合成樹脂の一体成形体で形成してもよい。さらに、この実施形態では、高さ調節管４０側に凸条４２を設け、曲り継手６０側に凹条６６を設けてあるけれども、高さ調節管４０側に凹条を設け、曲り継手６０側に凸条を設けてもよい。
【００２９】
【発明の効果】
本発明の排水管と排水桝との接続装置によれば、排水管の終端部と排水桝の排水流入口とが水平方向で近接しているような狭いスペースであっても、高さ調節管の「やりとり作用」や曲り継手と高さ調節管との相対的な回転機能を活用して、排水管の終端部と排水桝の排水流入口とを容易に接続することができるようになる。
【図面の簡単な説明】
【図１】本発明の排水管と排水桝との接続装置の使用状態の要部を示す一部破断正面図である。
【図２】曲り接続管の要部の正面図である。
【図３】図２のＩＩＩ矢視図である。
【図４】排水桝を新設するときの接続手順を説明するための概略斜視図である。
【符号の説明】
１０  排水桝
１２  排水流入口
２０  曲り接続管
２４  曲り接続管の一端側接続口部
２６  管部
２９  第１シールリング
３１  雄ねじ部
３２  筒部
３３  分割溝
４１  高さ調節管の一端側接続口部
４２  凸条
５０  締付けナット
５１  雌ねじ部
５２  押圧部
６０  曲り継手
６１  曲り継手の一端側接続口部
６２  曲り継手の他端側接続口部
６５  第２シールリング
６６  凹条
７０  排水管
７１  排水管の終端部
【図１】
0003651739.tif 000002
【図２】
0003651739.tif 000003
【図３】
0003651739.tif 000004
【図４】
0003651739.tif 000005